(57)【要約】【課題】  本発明は建築駆体の内側に配置した石膏ボードによる白色内壁面において、石膏ボード固定用鉄ビスネジと室内電灯等のスイッチ装着位置を示す永久磁石（ターゲット）とを石膏ボードの内側（内壁面側）から正確に識別することのできる埋込磁石検出装置を得ることを目的とする。【解決手段】  間柱１１に鉄ビスネジ１２によって支持された内装板１３と、該内装板１３の裏面側に隠れた端子１４等の検出用永久磁石（ターゲット）１５の磁極を該内装板と直角方向に支持してなる内壁面１において、上記内壁面１と平行に摺動可能な底面２を有する電磁コイル埋込函３であって、該埋込函３の上面４に可動指針５の中央部を前後左右自在に遊支し、該上面４に上記電磁コイル６の電源７及び電源スイッチ８を設け、かつ上記可動指針の両端面に相反磁極及び相異色を施してなる内壁面における埋込磁石検出装置。【選択図】図１
2008035612.tif 000002
【特許請求の範囲】
【請求項１】
間柱に鉄ビスネジによって支持された内装板と、該内装板の裏面側に隠れた端子等の検出用永久磁石（ターゲット）の磁極を該内装板と直角方向に支持してなる内壁面において、
上記内壁面と平行に摺動可能な底面を有する電磁コイル埋込函であって、
該埋込函の上面に可動指針の中央部を前後左右自在に遊支し、
該函に上記コイルの電源及び電源スイッチを設け、
かつ上記可動指針の両端面に相反磁極及び相異色を施してなる内壁面における埋込磁石検出装置。
【請求項２】
上記可動指針の位置端面が赤色であり、他端面が黄色である請求項１記載の内壁面における埋込磁石検出装置。
【請求項３】
上記コイルの閉路時に起立した上記可動指針の外端面が赤色である請求項１又は２記載の内壁面における埋込磁石検出装置。
【発明の詳細な説明】
【技術分野】
【０００１】
本発明は建築物の駆体に間隔を介して配設された石膏ボードによる内装板の裏面側に配線端子を検出する永久磁石（ターゲット）が磁極を内装板と直角に配設され、
【０００２】
該永久磁石位置を上記内装板の外面側から検出する埋込磁石検出装置に関するものである。
【背景技術】
【０００３】
従来、建築駆体には間隔を介して間柱を立設し、該間柱に石膏ボードを鉄ビスネジで固定して室内壁面を形成し、鉄ビスネジの頭部は石膏ボードに押圧陥没するが、表装石膏で被覆して平坦化され室内壁面から該鉄ビスネジの頭部は隠蔽される（図３）。
【０００４】
そのため内壁面や天井面に装着する室内電灯などのスイッチの装着位置が不明となるため上記石膏ボードの裏面に予め永久磁石（ターゲット）を支持ボックスにより支持し、かつ一定の磁極（例えばＳ極）を石膏ボードの表面に（室内面）に向かって固定し、これを検出装置によって検出した（例えば特許文献１、２）。
【０００５】
ところが石膏ボードを支持するための上記鉄ビスネジを検出装置の可動指針が感知（検出し）、室内電灯スイッチの装着位置を示す上記永久磁石（ターゲット）を間違いなく感知（検出）することが困難であった。
【０００６】
即ち上記鉄ビスネジ位置を室内電灯スイッチ装着位置を示す上記永久磁石（ターゲット）と誤認して、その位置の石膏ボードを切削剥離し石膏ボードに著しい損傷を与えた。
【０００７】
【特許文献１】実用新案登録第２５１６７２１号
【特許文献２】意匠登録第１０２６３４１号
【発明の開示】
【発明が解決しようとする課題】
【０００８】
本発明は建築駆体の内側に間隔を介して間柱が設けられ、間柱に石膏ボードを鉄ビスネジで固定し、間柱間の石膏ボード裏面に室内電灯等のスイッチ装着位置を示す永久磁石（ターゲット）を配置した石膏ボードによる白色内壁面において、
【０００９】
上記鉄ビスネジと上記永久磁石（ターゲット）とを石膏ボードの内側（内壁面側）から正確に識別することのできる埋込磁石検出装置を得ることを目的とする。
【課題を解決するための手段】
【００１０】
上記の目的を達成するため本発明は
第１に間柱に鉄ビスネジによって支持された内装板と、該内装板の裏面側に隠れた端子等の検出用永久磁石（ターゲット）の磁極を該内装板と直角方向に支持してなる内壁面において、上記内壁面と平行に摺動可能な底面を有する電磁コイル埋込函であって、該埋込函の上面に可動指針の中央部を前後左右自在に遊支し、該函に上記コイルの電源及び電源スイッチを設け、かつ上記可動指針の両端面に相反磁極及び相異色を施してなる内壁面における埋込磁石検出装置、
第２に上記可動指針の位置端面が赤色であり、他端面が黄色である上記第１発明記載の内壁面における埋込磁石検出装置、
第３に上記コイルの閉路時に起立した上記可動指針の外端面が赤色である上記第１又は第２発明記載の内壁面における埋込磁石検出装置、
によって構成される。
【００１１】
従って第１に電源スイッチをＯＦＦにして内壁面を検索し、可動指針が起立して外端面が赤又は黄の場合は、該指針が鉄ビスを感知起立しているものかターゲットを感知起立しているものか不明である。
【００１２】
第２にその位置でスイッチをＯＮして電磁コイルを励磁すると、上記第１動作で該端面に黄を示した可動指針はコイルの励磁に反応して反転し、外端面が赤となる。
【００１３】
第３に上記スイッチをＯＦＦにして上記コイルを消磁すると可動指針はターゲットに反応して反転し、外端面が黄色となり、その位置に上記ターゲットが存在していることを示す。
【００１４】
上記第３動作において可動指針が反転せず依然赤を示す場合はその位置は鉄ビスであってターゲットではない。
【発明の効果】
【００１５】
本発明は上述のように構成したので、建築物の内装壁の中に浅く隠れている鉄ビスネジと、該内装壁の裏側に配設されている端子等の検出用永久磁石（ターゲット）とを明確に判別検出し得て、鉄ビスネジ部を端子等の検出用永久磁石（ターゲット）と間違えて内装壁を切削損傷するおそれが無く、内装壁に間違いなく室内電灯などの電線端子を検出し得てスイッチ板をその位置に装着し得る効果がある。
【発明を実施するための最良の形態】
【００１６】
建築物の駆体１７には間隔Ｔを置いて複数の間柱１１，１１が立設され、該間柱１１に石膏ボード１３’（厚さ１２ｍｍ×１枚乃至３枚）による内装板１３を立設し、鉄ビスネジ（以下鉄ビスという）１２で固定する（図３）。
【００１７】
鉄ビス１２は石膏ボード１３’から間柱１１に向って螺入し、鉄ビス１２の頭部１２’は石膏ボード１３’内に凹部１３”を形成するが、この凹部１３”や石膏ボード１３’，１３’間の継ぎ目等は塗装１８によって内装が施されて隠蔽され内壁面１が形成される（図３）。
【００１８】
上記間隔Ｔ内には間柱１１，１１間に室内電灯などのスイッチを接続するための電線端子１４が配線され、該端子１４の位置を間隔Ｔ内に配設した上記検出用永久磁石（ターゲット）１５の磁力線の方向によって石膏ボード１３’による上記内壁面１の外側に上記ターゲット１５の位置を知らせるようになっている。
【００１９】
上記ターゲット１５は上記間隔Ｔ内の上記石膏ボード１３’にボックス１５’によって固定されている（図４）。
【００２０】
本発明は上記内壁面１と平行に内壁面１に沿って摺動可能な底面２を有する平盤状コイル埋込函３であって、
【００２１】
埋込電磁コイル６は底面２と平行方向に巻き回され、上記埋込函３の上面４に該コイル６の中心線ｃ上に可動指針５を配置し、その中央部遊支軸５’を上記底面２と平行支軸５”，５”を上面４に設けた直立対向柱１９，１９に遊支した長方形枠２０の中央部に上記支軸５’を遊支することによって、
【００２２】
上記可動指針５をその中央部支軸５’の回りに上記長方形枠２０内に左右方向に遊動自在に遊支し、
【００２３】
かつ上記長方形枠２０の長手方向両端支軸５”，５”を直立対向柱１９，１９に遊支して該長方形枠２０及びその中央部の上記可動指針５を前後方向に遊動させることができ、
【００２４】
結局上記コイル埋込函３の上面４に設けた直立対向柱１９，１９間の中央部に上記中心線ｃ上に支持した可動指針５を左右方向（長方形枠２０内）及び前後方向（長方形枠２０の両端支軸５”，５”の回り）にユニバーサルに遊動させることができる。
【００２５】
上記コイル６は図１、図２（イ）（ロ）（ハ）図に示すコイル埋込函３の上面に設けた直流電源ボックス２１内に収納した電源７（図７）に接続し、かつ発条２２の力で開路（ＯＦＦ）される棒状電源スイッチ８を備え、該スイッチ８を手で押すことによって閉路（ＯＮ）するようになっている。電源７はＤＣ３Ｖ、電磁コイル６は電線太さ０、５５ｍｍΦ、コイル長さ３０ｍ、コイル巻数１５０回、コイル電流３５０ｍＡである。
【００２６】
第１に図５（イ）図及び図６（イ）図に示すように電源スイッチ８をＯＦＦにして内壁面１を検索する。可動指針５が起立して外端面が赤又は黄を示した場合（表１における第１動作）、該指針５が鉄ビス１２を感知起立しているものか、ターゲット１５を感知起立しているものか不明である。
【００２７】
第２に上記の位置でスイッチ８をＯＮして電磁コイル６を励磁すると、上記第１の動作で外端面に黄を示した可動指針５は電磁コイル６の励磁に反応して反転し、外端面が赤となる。
【００２８】
第３に上記スイッチ８をＯＦＦにして電磁コイル６を消磁すると可動指針５はターゲット１５に反応して反転し、外端面が黄色となり、その位置にターゲット１５が存在していることを示す。
【００２９】
上記第３の動作において可動指針５が反転せず依然赤を示す場合は、その位置は鉄ビスであってターゲット１５の位置でないことがわかる。
【００３０】
【表１】
2008035612.tif 000003
１．ボックス検索  赤又は黄色
２．励磁コイル  ＯＮ  可動指針反転すると可動指針  赤色
３．励磁コイル  ＯＦＦで正常は黄色  不適は赤色と瞬時に決まる
【００３１】
尚図中２３で示すものは可動指針５のカバー、２４は該カバー２３に設けた外端面の色を確認する透明窓、２５は透明窓２４を上から見るための鏡枠で支軸２６を中心に手前に４５度傾け鏡２５’で透明窓２４内を見ることができる。
【産業上の利用可能性】
【００３２】
建築駆体１７の内側に張設した内壁面１の表側から裏側に配置した端子検出用永久磁石（ターゲット）１５を内装板１３内の鉄ビス１２と混同することなく確認し、新装内壁面１に損傷を与えることなく室内電灯などのスイッチ用端子の位置を検出し得るものである。
【図面の簡単な説明】
【００３３】
【図１】本発明の建築内壁面の埋込磁石検出装置を示す斜視図である。
【図２】（イ）図は上記検出装置の縦断側面図、（ロ）図は（イ）図Ａ−Ａ線による正面図、（ハ）図は（ロ）図の斜視図である。
【図３】鉄ビスネジの検出状態側面図である。
【図４】埋込磁石検出状態側面図である。
【図５】（イ）図は鉄ビスネジ検出状態における電源スイッチＯＮ状態側面図、（ロ）図はＯＦＦ状態図である。
【図６】（イ）図は埋込磁石検出状態における電源スイッチＯＦＦ状態側面図、（ロ）図はＯＮ状態図である。
【図７】コイル埋込函内の電気配線等価回路図である。
【符号の説明】
【００３４】
１          内壁面
２          底面
３          コイル埋込函
４          上面
５          可動指針
６          電磁コイル
７          電源
８          電源スイッチ
９，１０    両端面
１１        間柱
１２        鉄ビスネジ
１３        内装板
１４        端子
１５        検出用永久磁石
【図１】
2008035612.tif 000004
【図２】
2008035612.tif 000005
【図３】
2008035612.tif 000006
【図４】
2008035612.tif 000007
【図５】
2008035612.tif 000008
【図６】
2008035612.tif 000009
【図７】
2008035612.tif 000010